(57)【要約】【課題】  複数の画像から１枚の最適な画像を選択している間でも、次の撮像を行うことができる技術を提供することを目的とする。【解決手段】  少なくとも１つの表示部と、ユーザからの指示を受け付ける操作部材と、時系列に連続して被写体を撮像し構図確認用のスルー画像を生成するとともに、ユーザによる撮像開始の指示を受けてから撮像終了の指示を受けるまでの間、被写体を連写して記録用の本画像を複数生成する撮像部と、スルー画像とともに複数の本画像を表示部に再生表示して、ユーザに最適な本画像を１枚選択させる制御部と、を備える。【選択図】    図１
2013207634.tif 000002
【特許請求の範囲】
【請求項１】
少なくとも１つの表示部と、
ユーザからの指示を受け付ける操作部材と、
時系列に連続して被写体を撮像し構図確認用のスルー画像を生成するとともに、前記ユーザによる撮像開始の指示を受けてから撮像終了の指示を受けるまでの間、前記被写体を連写して記録用の本画像を複数生成する撮像部と、
前記スルー画像とともに複数の前記本画像を前記表示部に再生表示して、前記ユーザに最適な本画像を１枚選択させる制御部と、
を備えることを特徴とする撮像装置。
【請求項２】
請求項１に記載の撮像装置において、
複数の前記表示部を備え、
前記制御部は、一の表示部に前記スルー画像を表示し、他の表示部に前記複数の本画像を再生表示する
ことを特徴とする撮像装置。
【請求項３】
請求項２に記載の撮像装置において、
前記一の表示部または前記他の表示部のいずれか一方は、電子ビューファインダであることを特徴とする撮像装置。
【請求項４】
請求項１に記載の撮像装置において、
前記制御部は、前記表示部の表示領域のうち、一の表示領域に前記スルー画像を表示し、他の表示領域に前記複数の本画像を再生表示することを特徴とする撮像装置。
【請求項５】
請求項１ないし請求項４のいずれか１項に記載の撮像装置において、
前記制御部は、
前記スルー画像を用いて前記被写体を検出する被写体検出部をさらに備え、
前記制御部は、前記ユーザに前記最適な本画像を選択させている時に、前記被写体検出部が新たな被写体を検出した場合、前記スルー画像を表示する
ことを特徴とする撮像装置。
【発明の詳細な説明】
【技術分野】
【０００１】
本発明は、撮像装置に関する。
【背景技術】
【０００２】
ＣＣＤ（Charge Coupled Device Image Sensor）やＣＭＯＳ（Complementary Metal Oxide Semiconductor）などの撮像素子における画像信号の読み出し速度の高速化やメモリの大容量化により、これまでには無かった新しい撮像技術が開発されている。
【０００３】
例えば、ユーザによるレリーズ釦の半押し操作を受けてから、次に全押し操作を受け付けるまでの間、被写体を連写して複数の画像を生成した後、複数の画像の中からユーザに１枚の最適な画像を選択させて記録するという技術が開発されている（例えば、特許文献１）。
【先行技術文献】
【特許文献】
【０００４】
【特許文献１】特開２０００−８３２１０号公報
【発明の概要】
【発明が解決しようとする課題】
【０００５】
しかしながら、従来技術では、被写体を連写してユーザに１枚の画像を最適な画像を選択させて記録するまでの間、次の撮像操作を行うことができず、シャッターチャンスを逃す場合がある。
【０００６】
上記従来技術が有する問題に鑑み、本発明の目的は、複数の画像から１枚の最適な画像を選択している間でも、次の撮像を行うことができる技術を提供することにある。
【課題を解決するための手段】
【０００７】
上記課題を解決するために、本発明を例示する撮像装置の一の態様は、少なくとも１つの表示部と、ユーザからの指示を受け付ける操作部材と、時系列に連続して被写体を撮像し構図確認用のスルー画像を生成するとともに、ユーザによる撮像開始の指示を受けてから撮像終了の指示を受けるまでの間、被写体を連写して記録用の本画像を複数生成する撮像部と、スルー画像とともに複数の本画像を表示部に再生表示して、ユーザに最適な本画像を１枚選択させる制御部と、を備える。
【０００８】
また、複数の表示部を備え、制御部は、一の表示部にスルー画像を表示し、他の表示部に複数の本画像を再生表示してもよい。
【０００９】
また、一の表示部または他の表示部のいずれか一方は、電子ビューファインダであってもよい。
【００１０】
また、制御部は、表示部の表示領域のうち、一の表示領域にスルー画像を表示し、他の表示領域に複数の本画像を再生表示してもよい。
【００１１】
また、制御部は、スルー画像を用いて被写体を検出する被写体検出部をさらに備え、制御部は、ユーザに最適な本画像を選択させている時に、被写体検出部が新たな被写体を検出した場合、スルー画像を表示してもよい。
【発明の効果】
【００１２】
本発明によれば、複数の画像から１枚の最適な画像を選択している間でも、次の撮像を行うことができる。
【図面の簡単な説明】
【００１３】
【図１】本発明の一の実施形態に係るデジタルカメラの構成を示すブロック図
【図２】一の実施形態のデジタルカメラの第２モニタを本体に格納した場合の外観を示す図
【図３】一の実施形態のデジタルカメラの第２モニタを広げた場合の外観を示す図
【図４】一の実施形態のデジタルカメラによるシングル表示モードでの処理動作を示すフローチャート
【図５】シングル表示モードにおける表示の一例を示す図
【図６】一の実施形態のデジタルカメラによるデュアル表示モードでの処理動作を示すフローチャート
【図７】デュアル表示モードにおける表示の一例を示す図
【発明を実施するための形態】
【００１４】
図１は、本発明の一の実施形態に係るデジタルカメラの構成を示すブロック図である。図２は、本実施形態のデジタルカメラを（ａ）正面から見た場合、（ｂ）真上から見た場合、（ｃ）背面から見た場合の外観をそれぞれ示す。
【００１５】
本実施形態のデジタルカメラは、撮像光学系１１、撮像素子１２、ＡＦＥ１３、バッファメモリ１４、画像処理部１５、第１モニタ１６ａ、第２モニタ１６ｂ、記憶部１７、ＣＰＵ１８、操作部材２０、レリーズ釦２１、タッチパネル２２、記録Ｉ／Ｆ２３、バスから構成される。バッファメモリ１４、画像処理部１５、モニタ１６、記憶部１７、ＣＰＵ１８、記録Ｉ／Ｆ２３は、バスを介して情報伝達可能にそれぞれ接続される。また、操作部材２０、レリーズ釦２１、タッチパネル２２は、ＣＰＵ１８に接続される。
【００１６】
撮像光学系１１は、ズームレンズやフォーカシングレンズを含む複数のレンズ群で構成されている。撮像光学系１１のレンズ位置は、レンズ駆動部（不図示）によって光軸方向に調整される。なお、簡単のため、図１では撮像光学系１１を１枚のレンズとして図示する。
【００１７】
撮像素子１２は、撮像光学系１１を通過した光束によって結像される被写体を撮像するデバイスである。この撮像素子１２の出力はＡＦＥ１３に入力される。なお、本実施形態の撮像素子１２は、順次走査方式の固体撮像素子（ＣＣＤ等）であっても、ＸＹアドレス方式の固体撮像素子（ＣＭＯＳ等）であってもよい。
【００１８】
また、撮像素子１２の受光面には、複数の受光素子がマトリックス状に配列されている。撮像素子１２の各受光素子には、赤色（Ｒ）、緑色（Ｇ）、青色（Ｂ）のカラーフィルタが公知のベイヤ配列にしたがって配置されている。そのため、撮像素子１２の各受光素子は、カラーフィルタでの色分解によってそれぞれの色に対応する画像信号を出力する。これにより、撮像素子１２は、カラーの画像を取得できる。
【００１９】
なお、デジタルカメラの撮影モードにおいて、撮像素子１２はレリーズ釦２１の全押し操作に応答して記録画像（本画像）を撮像する。また、撮影モードでの撮像素子１２は、撮影待機時にも所定の時間間隔で構図確認用画像（スルー画像）を撮像する。このスルー画像のデータは、撮像素子１２から間引き読み出しで出力される。なお、スルー画像のデータは、第１モニタ１６ａや第２モニタ１６ｂでの画像表示や、ＣＰＵ１８による各種演算処理などに使用される。また、本実施形態のデジタルカメラは、撮像モードして、レリーズ釦２１の半押し操作により本画像の連写を開始してレリーズ釦２１の全押し操作により終了し、連写で取得した複数の本画像から１枚の最適な画像を選択するモード（以下、連写選択モードと称す）を有するものとする。
【００２０】
ＡＦＥ１３は、撮像素子１２の出力に対してアナログ信号処理を施すアナログフロントエンド回路である。このＡＦＥ１３は、相関二重サンプリング、画像信号のゲインの調整、画像信号のＡ／Ｄ変換を行う。ＡＦＥ１３の出力は、バッファメモリ１４に一時的に記録される。なお、本実施形態では、撮像素子１２とＡＦＥ１３とで撮像部を構成する。また、バッファメモリ１４は、一般的な揮発性の半導体メモリ等を適宜選択して用いることができる。
【００２１】
画像処理部１５は、バッファメモリ１４に記憶された１フレーム分のデジタル画像信号に対して、各種画像処理（例えば、色補間処理、階調変換処理、ホワイトバランス処理、輪郭強調処理など）を施す。
【００２２】
第１モニタ１６ａおよび第２モニタ１６ｂは、液晶モニタなどの表示部であり、ＣＰＵ１８の指示に応じて各種画像を表示する。なお、本実施形態では、図２および図３に示すように、第１モニタ１６ａは、デジタルカメラの筐体背面に設置され、第２モニタ１６ｂは、筐体側面に設置されたＸ軸およびＹ軸方向の２軸について回転可能なヒンジ部２５に設置される。これにより、図２に示すように、第２モニタ１６ｂがデジタルカメラ本体に格納される場合（以下、シングル表示モードという）、第１モニタ１６ａは、第２モニタ１６ｂの背後に配置されるために、第２モニタ１６ｂがメインモニタとして動作する。一方、図３に示すように、第２モニタ１６ｂが広げられた場合（以下、デュアル表示モードという）、第１モニタ１６ａおよび第２モニタ１６ｂの２つのモニタで表示動作する。デュアル表示モードでは、第１モニタ１６ａがメインモニタとして動作する。
【００２３】
なお、本実施形態において、シングル表示モードとデュアル表示モードとの切り替えは、ＣＰＵ１８が、第２モニタ１６ｂの開閉状態を検出することにより切り替えられるものとする。つまり、撮影モードでの撮像待機時において、ＣＰＵ１８は、シングル表示モードの場合には第２モニタ１６ｂに、デュアル表示モードの場合には第１モニタ１６ａにスルー画像を動画表示する。また、本実施形態では、同様に、撮像モードとして連写選択モードが設定され、取得した複数の本画像から１枚の最適な画像を選択する場合、シングル表示モードの初期状態では第２モニタ１６ｂに、デュアル表示モードの初期状態では第１モニタ１６ａに、それぞれ所定のコマ送りの速度で複数の本画像を再生表示する。ただし、複数の本画像の再生表示のコマ送りは、ユーザによる操作部材２０やタッチパネル２２の操作に応じてコマ送りしてもよい。
【００２４】
また、ＣＰＵ１８は、第２モニタ１６ｂ（シングル表示モード）や第１モニタ１６ａ（デュアル表示モード）上のスルー画像に、撮影に必要となる各種情報を重畳表示するものとする。さらに、ＣＰＵ１８は、各種設定項目の入力を可能とするＧＵＩ(Graphical User Interface)形式の釦を第２モニタ１６ｂ（シングル表示モード）や第１モニタ１６ａ（デュアル表示モード）上に表示させてもよい。ただし、ＣＰＵ１８は、デュアル表示モード時、第１モニタ１６ａにスルー画像を動画表示させ、第２モニタ１７ｂに上記各種情報やＧＵＩ形式の釦を表示させてもよい。
【００２５】
記憶部１７は、ＣＰＵ１８によって実行される制御プログラムなどとともに、デジタルカメラによって撮像された本画像、特に、連写選択モードの場合には最終的に選択された１枚の最適な本画像を記憶する。記憶部１７には、不揮発性の半導体メモリなどを用いることができる。
【００２６】
ＣＰＵ１８は、デジタルカメラの各部を統括的に制御するプロセッサである。ＣＰＵ１８は、制御プログラムを実行することにより、スルー画像のデータに基づいて、位相差検出方式やコントラスト検出方式による公知の自動焦点（ＡＦ）制御や、自動露出（ＡＥ）演算などを行う。また、ＣＰＵ１８は、撮像した本画像のファイルの生成処理や第１モニタ１６ａ、第２モニタ１６ｂに対する表示制御などを行う。さらに、本実施形態のＣＰＵ１８は、制御プログラムの実行により、顔検出部１９として動作する。
【００２７】
顔検出部１９は、被写体検出部として、スルー画像のデータに顔検出処理を施して、画像から被写体である人物の顔領域を検出する。この顔検出処理は公知のアルゴリズムによって行われる。一例として、顔検出部１９は、公知の特徴点抽出処理によって、眉，目，鼻，唇の各端点などの特徴点を画像から抽出し、これらの特徴点に基づいて顔領域か否かを判定する。あるいは、顔検出部１９は、予め記憶部１７に記憶された顔画像などとスルー画像との相関係数を求め、この相関係数が一定の閾値を超えるときに顔領域と判定してもよい。
【００２８】
操作部材２０は、例えば、電源釦、コマンドダイヤル、十字状のカーソルキー、決定釦などで構成される（図２）。そして、操作部材２０はデジタルカメラの各種入力をユーザから受け付ける。例えば、操作部材２０は、デジタルカメラの動作モードの切替操作や、設定画面での入力操作などに用いられる。
【００２９】
レリーズ釦２１は、半押し操作による撮像前のＡＥ動作開始や連写選択モードにおける撮像開始の指示入力、および全押し操作による連写選択モード以外の撮像モードにおける撮像開始や連写選択モードにおける撮像終了の指示入力をユーザから受け付ける。
【００３０】
タッチパネル２２は、パネル表面に接触したスタイラス（または指先など）の位置を検出し、検出した位置情報をＣＰＵ１８に出力することでユーザからの指示入力を受け付ける。タッチパネル２２には、静電容量式または感圧式のいずれでもよい。本実施形態のタッチパネル２２は、第１モニタ１６ａおよび第２モニタ１６ｂと同形状の透明のパネルで構成され、モニタの表面全体に積層配置される。ユーザは、第１モニタ１６ａまたは第２モニタ１６ｂに表示されたＧＵＩ形式の釦を視認しつつ、タッチパネル２２を介してＣＰＵ１８に指示入力する。
【００３１】
記録Ｉ／Ｆ２３には、記憶媒体２４を接続するためのコネクタが形成されている。そして、記録Ｉ／Ｆ２３は、コネクタに接続された記憶媒体２４に対してデータの書き込み／読み込みを実行する。上記記憶媒体２４は、ハードディスクや、半導体メモリを内蔵したメモリカードなどで構成される。なお、図１では記憶媒体２４の一例としてメモリカードを示す。
【００３２】
次に、本実施形態のデジタルカメラによる処理動作について、（Ａ）シングル表示モードの場合と、（Ｂ）デュアル表示モードの場合とに分けて説明する。なお、本実施形態のデジタルカメラは、いずれの場合においても撮像モードとして連写選択モードに予め設定されているものとする。
（Ａ）シングル表示モードの場合
図４のフローチャートを参照しつつ、シングル表示モードの場合における、本実施形態のデジタルカメラによる処理動作について説明する。
【００３３】
ＣＰＵ１８は、ユーザによる操作部材２０の電源釦操作により、電源投入指示を受け付け、デジタルカメラの電源を投入する。ＣＰＵ１８は、記憶部１７より制御プログラムを読み込んで実行し、デジタルカメラを初期化する。ＣＰＵ１８は、デジタルカメラが撮像モードに設定されている場合、撮像素子１２に被写体のスルー画像を所定のフレームレートで撮像させ、第２モニタ１６ｂの表示領域全体で動画表示する。ＣＰＵ１８は、ステップＳ１０１からの処理を開始する。
【００３４】
ステップＳ１０１：ＣＰＵ１８は、撮像モードが連写選択モードに設定されているか否かを判定する。ＣＰＵ１８は、連写選択モードに設定されている場合、ステップＳ１０２（ＹＥＳ側）へ移行する。一方、ＣＰＵ１８は、他の撮像モードに設定されている場合、ステップＳ１１２（ＮＯ側）へ移行し、ステップＳ１１２において、設定されている静止画像の単写や動画などの他の撮像モードに応じて本画像を撮像し、ステップＳ１１１へ移行する。
【００３５】
ステップＳ１０２：ＣＰＵ１８の顔検出部１９は、取得したスルー画像のデータに顔検出処理を施して、画像から被写体である人物の顔領域を検出する。そして、顔検出部１９は、検出した人物の顔画像のデータをバッファメモリ１４やＣＰＵ１８の不図示の内部メモリに一時的に記憶する。ＣＰＵ１８は、スルー画像のうち顔検出された人物の顔画像領域を合焦領域として、レンズ駆動部（不図示）に撮像光学系１１を駆動させて被写体である人物に合焦させる。
【００３６】
ステップＳ１０３：ＣＰＵ１８は、ユーザによるレリーズ釦２１の半押し操作を受け付けたか否かを判定する。ＣＰＵ１８は、レリーズ釦２１が半押し操作された場合、ステップＳ１０４（ＹＥＳ側）へ移行する。一方、ＣＰＵ１８は、レリーズ釦２１が半押し操作されていない場合、ステップＳ１０２（ＮＯ側）へ移行して、次に取得されたスルー画像に対して、ステップＳ１０２における処理を施す。
【００３７】
ステップＳ１０４：ＣＰＵ１８は、スルー画像のデータから被写体の輝度を算出し、ＡＥ演算により露出条件を取得するとともに、撮像光学系１１のレンズ位置をロックする。
【００３８】
ステップＳ１０５：ＣＰＵ１８は、撮像素子１２に対して、ステップＳ１０４において算出された露出条件などで被写体の静止画像である本画像を、例えば、３０ｆｐｓや６０ｆｐｓなどのフレームレートでの連写を開始させる。ＣＰＵ１８は、連写された本画像のデータそれぞれをバッファメモリ１４の異なる記憶領域に順次記録する。
【００３９】
ステップＳ１０６：ＣＰＵ１８は、ユーザによるレリーズ釦２１の全押し操作を受け付けたか否かを判定する。ＣＰＵ１８は、レリーズ釦２１が全押し操作されていない場合、ステップＳ１０５（ＮＯ側）へ移行して、連写選択モードによる本画像の撮像を続行する。一方、ＣＰＵ１８は、レリーズ釦２１が全押し操作された場合、その全押し操作に応じて最後の本画像を撮像素子１２に撮像させ、連写選択モードによる被写体の撮像を終了する。ＣＰＵ１８は、ステップＳ１０７およびステップＳ１０８（ＹＥＳ側）へ移行する。
【００４０】
ＣＰＵ１８は、（１）ステップＳ１０７で行われる連写選択モードの撮像後の新たな被写体の検出処理と、（２）ステップＳ１０８からステップＳ１１０で行われるステップＳ１０３〜ステップＳ１０５で取得された複数の本画像から１枚の最適な本画像を選択する選択処理とを並列に行う。そこで、上記２つの並列処理についてそれぞれ説明する。
（１）新たな被写体の検出処理
ステップＳ１０７：ＣＰＵ１８は、連写選択モードの撮像終了後、撮像素子１２に対してスルー画像の撮像を再開させる。顔検出１９は、取得したスルー画像のデータに顔検出処理を施して、新たな被写体である人物の顔検出を行う。つまり、顔検出部１９は、スルー画像から人物の顔を検出した場合、検出した顔画像のデータとステップＳ１０２において検出した顔画像のデータとの比較を行い、一致するか否かを判定する。例えば、顔検出部１９は、公知の特徴点抽出処理を上記２つの顔画像それぞれに適用して、眉，目，鼻，唇の各端点などの特徴点を抽出し比較して判定する。顔検出部１９は、２つの顔画像が同一の人物である場合（ＮＯ側）、次のスルー画像を取得し新たな被写体の人物が検出されるまで待機する。
【００４１】
一方、顔検出部１９は、２つの顔画像が互いに異なる人物のものである場合、後述するステップＳ１０８からステップＳ１１０の処理に対し割り込み信号を生成出力する。ＣＰＵ１８は、ステップＳ１０２（ＹＥＳ側）へ移行し、新たな被写体の人物を撮像するために、ステップＳ１０２〜ステップＳ１０６の処理を行う。なお、後述するステップＳ１０８〜ステップＳ１１０において、連写選択モードで先に取得された複数の本画像に対する選択処理が行われている場合、ＣＰＵ１８は、連写選択モードによって撮像される新たな被写体の複数の本画像のデータを、先の複数の画像とは異なるバッファメモリ１４の記憶領域に記憶するものとする。
（２）最適な画像の選択処理
ステップＳ１０８：ＣＰＵ１８は、ステップＳ１０６の連写選択モードで取得された複数の本画像のデータをバッファメモリ１４から読み込む。ＣＰＵ１８は、所定のコマ送りの速度やユーザによるタッチパネル２２などの操作に応じて、図５（ａ）に示すように、複数の本画像を第２モニタ１６ｂの表示領域全面で再生表示する。ただし、ステップＳ１０７において顔検出部１９が新たな被写体を検出し割り込み信号を生成出力し受信した場合、ＣＰＵ１８は、第２モニタ１６ｂに「新たな被写体を検出しました」などとダイアログ表示して、選択処理と新たな被写体の撮像における構図確認とを同時に行うために、図５（ｂ）に示すように、第２モニタ１６ｂのうち、表示領域３０に複数の本画像を再生表示し、表示領域４０にスルー画像を表示する分割表示に切り替える。
【００４２】
なお、ＣＰＵ１８は、再生表示を行うにあたり、例えば、第２モニタ１６ｂに「最適な画像の選択を行いますか？」などのダイアログを表示してユーザに問い合わせてもよい。
【００４３】
ステップＳ１０９：ＣＰＵ１８は、ユーザによる操作部材２０やタッチパネル２２の操作により、１枚の最適な画像の選択指示を受け付けたか否かを判定する。ＣＰＵ１８は、選択指示を受け付けた場合、ステップＳ１１０（ＹＥＳ側）へ移行し、選択指示を受け付けていない場合、ステップＳ１０８（ＮＯ側）へ移行する。
【００４４】
ステップＳ１１０：ＣＰＵ１８は、選択された本画像を第２モニタ１６ｂに表示し、例えば、「この画像でよろしいですか？」などのダイアログ表示を行う。ＣＰＵ１８は、ユーザによる操作部材２０やタッチパネル２２の操作により同意の指示を受け付けた場合、第２モニタ１６ｂに表示された画像を最適な本画像とし、ステップＳ１１１（ＹＥＳ側）へ移行する。一方、ＣＰＵ１８は、同意の指示を受け付けなかった場合、ステップＳ１０８（ＮＯ側）へ移行して、再度複数の本画像の再生表示を、最初または続きから再開し最適な本画像を１枚選択する。
【００４５】
ステップＳ１１１：ＣＰＵ１８は、ステップＳ１０９で選択された本画像またはステップＳ１１２で撮像された本画像を画像処理部１５に出力する。画像処理部１５は、その本画像に対して、例えば、色補間処理、階調変換処理、ホワイトバランス処理、輪郭強調処理などの各種画像処理を施す。ＣＰＵ１８は、処理された本画像の画像ファイルを生成して記憶部１７や記憶媒体２４に記録する。そして、ＣＰＵ１８は、処理した画像がステップＳ１０９で選択された本画像の場合、選択されなかった他の本画像のデータをバッファメモリ１４から消去し、一連の動作を終了する。
（Ｂ）デュアル表示モードの場合
図６のフローチャートを参照しつつ、デュアル表示モード、すなわち第２モニタ１６ｂが図３に示すように広げた状態における、本実施形態のデジタルカメラによる処理動作について説明する。なお、デュアル表示モードの場合、第１モニタ１６ａがメインモニタ、第２モニタ１６ｂがサブモニタとして動作し、電源投入直後の各種設定画面や被写体のスルー画像は第１モニタ１６ａに表示され、第２モニタ１６ｂのバックライトは消灯されているものとする（図７（ａ））。
【００４６】
また、図６に示すデュアル表示モードにおける処理動作において、メインモニタが第１モニタ１６ａになる点を除き、図３に示すシングル表示モードにおける処理動作と同じのものについては、同じステップ番号を付し詳細な説明は省略する。ただし、図６に示すデュアル表示モードにおける処理動作において、図３に示すシングル表示モードにおける処理と異なるもの、および新たに追加されたものについては新たなステップ番号を付す。
【００４７】
すなわち、ステップＳ２０１では、ＣＰＵ１８が、ステップＳ１０７において顔検出部１９が新たな被写体を検出して割り込み信号を生成出力し受信した場合、第２モニタ１６ｂのバックライトの電源を投入する。
【００４８】
また、ステップＳ２０２では、ＣＰＵ１８が、初期状態では連写選択モードで取得された複数の本画像を第１モニタ１６ａの表示領域全面で再生表示する（図７（ａ））。しかしながら、ステップＳ１０７における上記割り込み信号を受信した場合、ＣＰＵ１８は、シングル表示モードの分割表示ではなく、複数の本画像の再生表示を第１モニタ１６ａから第２モニタ１６ｂの表示領域を表示領域３０として切り替え、第１モニタ１６ａの表示領域を表示領域４０としてスルー画像を動画表示する（図７（ｂ））。これにより、図３および図７（ｂ）に示すように、撮像光学系１１の筐体背面に位置する第１モニタ１６ａにスルー画像を表示することから、新たな被写体の構図の確認を容易に行うことができる。
【００４９】
このように、本実施形態では、たとえ連写選択モードで取得した複数の本画像から１枚の最適な本画像を選択する場合でも、顔検出部１９が新たな被写体を検出した場合、ＣＰＵ１８が、複数の本画像とともに、スルー画像を第２モニタ１６ｂに分割表示したり、第１モニタ１６ａと第２モニタ１６ｂとに表示したりすることで、新たな被写体に対するシャッターチャンスを逃すことなく撮像を行うことができる。
《実施形態の補足事項》
（１）上記実施形態では、顔検出部１９の処理を、ＣＰＵ１８がソフトウエア的に実現する例を説明したが、ＡＳＩＣを用いてハードウエア的に実現してもよい。
【００５０】
（２）上記実施形態では、図３に示すシングル表示モードと図６に示すデュアル表示モードとの処理が別々に行われるとしたが、本発明はこれに限定されず、例えば、上記処理のいずれかが行われている際に第２モニタ１６ｂが開閉された場合、それに応じてＣＰＵ１８は他方の処理に切り替えることが好ましい。
【００５１】
（３）上記実施形態では、１つのＣＰＵ１８が新たな被写体の検出処理と最適な画像の選択処理とを並列に行うとしたが、本発明はこれに限定されない。例えば、複数のＣＰＵで２つの処理を並列に行ってもよい。あるいは、ＣＰＵ１８が、割り込み信号を受信した場合、ステップＳ１０８〜ステップＳ１１０またはステップＳ２０１〜ステップＳ１１０の選択処理を中断し、新たな被写体の撮像を優先させてもよい。
【００５２】
（４）上記実施形態では、デジタルカメラが第１モニタ１６ａおよび第２モニタ１６ｂを有したが、本発明はこれに限定されない。例えば、１つのモニタだけを有するデジタルカメラに対しても適用でき、図３に示すシングル表示モードと同じ処理動作を行わせることが好ましい。
【００５３】
また、１つのモニタと電子ビューファインダ（ＥＶＦ）とを有するデジタルカメラにも本発明は適用可能である。この場合、モニタおよびＥＶＦそれぞれを第１モニタ１６ａまたは第２モニタ１６ｂとして動作させ、デジタルカメラは、図６に示すデュアル表示モードと同じ処理動作を行わせることが好ましい。なお、割り込み信号を受信した場合、ＣＰＵ１８は、ステップＳ２０２において、モニタに複数の本画像を再生表示させ、ＥＶＦにスルー画像を動画表示させることが好ましい。
【００５４】
（５）上記実施形態では、顔検出部１９が新たな被写体を検出した場合、ステップＳ１０２へ移行するとしたが、本発明はこれに限定されない。例えば、ＣＰＵ１８は、ステップＳ１０７またはステップＳ２０１において、新たな被写体に対する撮像モードを単写による静止画像の撮像モードなどに変更し、新たな被写体を撮像してもよい。
【００５５】
（６）上記実施形態では、シングル表示モード時、ＣＰＵ１８が、ステップＳ１０８において、顔検出部１９から割り込み信号を受信した場合、第２モニタ１６ｂの表示領域３０に複数の本画像を再生表示し、表示領域４０にスルー画像を動画表示したが、本発明はこれに限定されない。例えば、ＣＰＵ１８は、第２モニタ１６ｂの表示領域３０にスルー画像を動画表示し、表示領域４０に複数の本画像を再生表示してもよいし、第２モニタ１６ｂの左または右半分の表示領域にスルー画像を動画表示し、右または左半分の表示領域に複数の本画像を再生表示してもよい。
【００５６】
（７）上記実施形態では、デュアル表示モード時、ＣＰＵ１８が、ステップＳ２０２において、割り込み信号を受信した場合、図７（ｂ）に示すように、第１モニタ１６ａにスルー画像を動画表示し、第２モニタ１６ｂに複数の本画像を再生表示したが、本発明はこれに限定されない。ＣＰＵ１８は、第１モニタ１６ａに複数の本画像を再生表示し、第２モニタ１６ｂにスルー画像を動画表示してもよい。あるいは、例えば、ＣＰＵ１８は、新たな被写体の動きの方向が検出できる場合、その動きの方向に応じて、スルー画像の動画表示および複数の本画像の再生表示を、第１モニタ１６ａまたは第２モニタ１６ｂのいずれにするかを決定してもよい。
【００５７】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００５８】
１１…撮像光学系、１２…撮像素子、１３…ＡＦＥ、１４…バッファメモリ、１５…画像処理部、１６ａ…第１モニタ、１６ｂ…第２モニタ、１７…記憶部、１８…ＣＰＵ、１９…顔検出部、２０…操作部材、２１…レリーズ釦、２２…タッチパネル、２３…記録Ｉ／Ｆ、２４…記憶媒体、２５…ヒンジ部
【図１】
2013207634.tif 000003
【図２】
2013207634.tif 000004
【図３】
2013207634.tif 000005
【図４】
2013207634.tif 000006
【図５】
2013207634.tif 000007
【図６】
2013207634.tif 000008
【図７】
2013207634.tif 000009